(57)【要約】【課題】  履物の向きを自動的に反転させるような装置を簡素にしかも安価に構成する。【解決手段】  床面に設置される基台２に対して回転自在な回転台３を設け、この回転台３の中心部から下方に向けてラチェット機構を介して中心軸４を延出させ、中間部にピニオンギヤ５を設ける。また回転台３には、揺動自在な踏み板１２と、この踏み板１２に踏み圧を加えると所定ストローク移動するラックギヤ１７を設けてピニオンギヤ５に噛合させ、中心軸４の下端部には、アーム６の中心部を固定し、このアーム６の一端側と回転台３とを復帰バネ７で連結する。また、アーム６が水平面内で１８０度回転した時点で、アーム６に係合してアーム６の逆転を阻止するストッパ１０を設ける。【選択図】      図１
2005118249.tif 000002
【特許請求の範囲】
【請求項１】
脱ぎ置かれた履物の向きを自動的に変換する履物反転装置であって、床面に設置される基台と、この基台に対して回転自在な回転台と、この回転台の中心部からラチェト機構を介して下方に延出する中心軸を備え、この中心軸の所定箇所には、ピニオンギヤが設けられるとともに、前記回転台には、踏み圧を加えると所定ストローク移動するラックギヤが設けられて前記ピニオンギヤに噛合しており、また、前記中心軸の下端部には、水平面内で回転自在なアームの中心部が固定され、このアームの一端側は復帰バネを介して前記回転台に連結されるとともに、このアームには、水平面内で１８０度回転すると、アームの逆転を阻止するストッパが係脱自在にされていることを特徴とする履物反転装置。
【請求項２】
前記履物には、履き口の一部を開放させるための履き口開放機構が設けられ、また、前記回転台には、前記履き口開放機構を作動させることのできる開放作動手段が設けられることを特徴とする請求項１に記載の履物反転装置。
【請求項３】
履き口開放機構を備えた履物であって、前記履き口開放機構は、履物の踵部分が本体部から揺動分離可能な分離踵部を備え、この分離踵部の一部が履物反転装置の開放作動手段に直接または間接的に係合すると履き口が広がり、分離踵部と開放作動手段の係合が外れると履き口が元の状態に復帰することを特徴とする履物。
【発明の詳細な説明】
【技術分野】
【０００１】
本発明は、例えば玄関等において脱がれた履物の向きを自動的に反転させるための技術に関する。
【背景技術】
【０００２】
従来、履物を脱いだ後、履物の向きを自動的に１８０度変換させるような装置として、履物脱ぎ台上に人がいることをセンサ等の人体感知手段により感知し、履物脱ぎ台上に履物があることをセンサ等の履物感知手段により感知すると、モータ等の駆動手段により上面部を半回転させるような技術（例えば、特許文献１参照。）や、床等に設置される設置体を設け、この設置体に対して水平反転旋回及び上下昇降可能な載置体を設けるとともに、載置体に踏み圧を加えると載置体が旋回せずに下降動作だけを行うようにし、踏み圧を解除すると、載置体が上昇しながら水平反転旋回するような技術（例えば、特許文献２参照。）等が知られている。
【０００３】
【特許文献１】特開２００２−２８０６３号公報
【特許文献２】特開２０００−１７５７９８号公報
【発明の開示】
【発明が解決しようとする課題】
【０００４】
ところが、前者のようにセンサを使用した人体感知手段や、履物感知手段や、モータ等の駆動手段を設ける場合には、装置が大掛かりで設備費用もかかるようになり、簡単に設置することはできない。また、後者のように昇降動自在で且つ上昇時にだけ水平旋回する載置体を設けるような構成は比較的安価にしかも簡素に構成できるという利点はあるものの、特に脱ぎにくい履物を履いているような場合には、脱ぐときに履物に手を添える機会があるため、そのときに履物の向きを変えればよく、自動的に向きを反転させるという装置の利点を完全に活かすことはできなかった。
【０００５】
そこで本発明は、履物の向きを自動的に反転させるような装置を簡素にしかも安価に構成し、特に、脱ぎにくい履物を履いているような場合に便利な履物反転装置を提供することを目的とする。
【課題を解決するための手段】
【０００６】
上記目的を達成するため本発明は、脱ぎ置かれた履物の向きを自動的に変換する履物反転装置において、床面に設置される基台と、この基台に対して回転自在な回転台と、この回転台の中心部からラチェット機構を介して下方に延出する中心軸とを設け、この中心軸の所定箇所にピニオンギヤを設けるとともに、前記回転台には、踏み圧を加えると所定ストローク移動するラックギヤを設けて前記ピニオンギヤに噛合させ、また、前記中心軸の下端部には、水平面内で回転自在なアームの中心部を固定し、このアームの一端側を復帰バネを介して前記回転台に連結するとともに、このアームには、水平面内で１８０度回転するとアームの逆転を阻止するストッパを係脱自在にした。
【０００７】
そして、回転台の上に人が載って踏み圧を加えると、ラックギヤとピニオンギヤの作用により中心軸とアームが半回転するようにするとともに、回転台とアームの間に連結される復帰バネが伸びるようにする。またこの際、人体荷重とラチェット機構により、回転台には回転が伝達されないようにする。そして、アームが半回転した時点で、ストッパによりアームの逆転が阻止されるようにし、人が履物を脱いで回転台から降りると、復帰バネの作用により回転台だけが半回転するようにする。
そして、このような構成にすることで、装置を簡素に構成できるとともに、安価に作製できる。
【０００８】
また、本発明では、前記履物に、履き口の一部を開放させるための履き口開放機構を設け、また、前記回転台に、履き口開放機構を作動させることのできる開放作動手段を設けた。
そして、回転台上に載った際、開放作動手段が履き口開放機構を作動させて履き口の一部を自動的に開放するようにすれば、履物が簡単に脱げないようなときでも、履物の着脱に手を添える必要がなくなり便利である。
【０００９】
また本発明では、履き口開放機構を備えた履物において、履き口開放機構として、履物の踵部分が本体部から分離可能な分離踵部を設け、この分離踵部の一部が履物反転装置の開放作動手段に直接的または間接的に係合すると履き口が広がり、分離踵部と開放作動手段の係合が外れると履き口が元の状態に復帰するようにした。
【００１０】
そして、履物反転装置の上に載ると、分離踵部の一部が自動的に履物反転装置の開放作動手段に直接的または間接的に係合するようにしておけば、履き口が自動的に広がって容易に脱ぐことができ、また、履物反転装置から離れると自動的に履き口が復帰するため好適である。
【発明の効果】
【００１１】
履物反転装置として、基台に対して回転自在な回転台と、この回転台の中心部からラチェット機構を介して下方に延出する中心軸と、この中心軸の下端部に固定されるアームを設け、回転台に、踏み圧を加えると所定ストローク移動するラックギヤを設けて中心軸に設けたピニオンギヤに噛合させ、また、アームの一端側を復帰バネを介して回転台に連結するとともに、アームが１８０度回転するとアームの逆転を阻止するストッパを係脱自在にすれば、装置を簡素に構成できるとともに、安価に作製できる。
また、履物に、履き口の一部を開放させるための履き口開放機構を設け、回転台に、履き口開放機構を作動させることのできる開放作動手段を設ければ、履物の着脱に手を添える必要がなくなり便利である。
そして、履物の履き口開放機構として、履物の踵部分が本体部から分離可能な分離踵部を設けるようにすれば好適である。
【発明を実施するための最良の形態】
【００１２】
本発明の実施の形態について添付した図面に基づき説明する。
ここで、図１は本発明に係る履物反転装置の構成主要部を示す分解斜視図、図２は同縦断面図、図３は同平面図、図４は履物の履き口開放機構の概要図、図５は履き口開放機構の作用図、図６は履物反転装置を履物収納ボックス内に収納できるようにした構成例であり、（ａ）は収納状態図、（ｂ）は開放した状態図、図７、図８は収納ボックス内に配設した乾燥殺菌手段の説明図である。
【００１３】
本発明に係る履物反転装置及び履物は、履物の向きを自動的に反転させるような装置を簡素にしかも安価に構成し、しかも、特に脱ぎにくい履物を履いているような場合に便利な履物反転装置として構成され、例えば玄関等に採用すれば便利なようにされている。
【００１４】
すなわち、図１、図２に示すように、本履物反転装置１は、玄関等の床面に設置される基台２と、この基台２に対して水平面内で回転可能な回転台３と、この回転台３の中心部から下方に延出する中心軸４を備えており、この中心軸４と回転台３とはラチェット機構９（図２〕により連結され、一方側の回転に対しては独自に回転可能で、反対側の回転に対しては、中心軸４と回転台３が一体でしか回転できないようにされている。
【００１５】
また、中心軸４の中間部にはピニオンギヤ５が取り付けられ、また、中心軸４の下端部には、アーム６の中心部が連結されている。そして、このアーム６の一端側には復帰バネ７の一端側が連結され、この復帰バネ７の他端側は前記回転台３の下面に連結されている。
【００１６】
そして、アーム６は、中心軸４の回転によって水平面内で回転可能とされ、また、前記復帰バネ７の内側には、復帰バネ７をガイドするための半円形のバネガイド８が回転台３の裏側に取り付けられている。
【００１７】
また、復帰バネ７が取り付けられるアーム６の反対側には、基台２に対して不図示のバネ等を介して取り付けられるストッパ１０が設けられており、このストッパ１０には、回転するアーム６が乗り上げて、バネ等を縮ませてストッパ１０を下方に押し込むことのできる傾斜面部１０ｔと、アーム６が通過するとバネ等により上方に復帰してアーム６の逆転を阻止するストッパ面１０ｓが設けられている。
【００１８】
前記回転台３には、一端側がヒンジ１１留めされ他端側が上下に揺動自在な踏み板１２が設けられ、この踏み板１２には、履物の形状に合わせた左右一対の履物載置部１３がマーク等によって表示されるとともに、この履物載置部１３より前方の踏み板１２の裏側には、図２に示すように、連結部１４が設けられ、この連結部１４に連結部材１５、１６を介してラックギヤ１７が枢着され、このラックギヤ１７は前記ピニオンギヤ５に噛合している。
【００１９】
そして、踏み板１２に人が載って踏み板１２の先端部を下方に揺動させると、ラックギヤ１７が図１の矢印方向に移動して中心軸４を反時計回りに回転させ、この際、中心軸４と回転台３とを連結するラチェット機構９により、回転台３は回転せず、中心軸４とアーム６だけが１８０度回転し、アーム６の復帰バネ７連結側がストッパ１０を乗り越えた位置で停止するようにしている。
尚、左右の履物載置部１３の踵部に対応する箇所には、履物の履き口を開放させるための開放作動手段としての凸部１８が設けられているが、その作用については後述する。
【００２０】
以上のような履物反転装置１において、履物を履いた人が踏み板１２の履物載置部１３に載ると、踏み板１２先端部が下方に揺動してラックギヤ１７がストローク作動する。このため、ピニオンギヤ５を介して中心軸４が回転し、これとともに復帰バネ７を伸ばしながらアーム６が水平面内で半回転し、回転台３は停止している。そして、アーム６がストッパ１０の傾斜面１０ｔを押圧しながら通過し、傾斜面１０ｔを通過するとストッパ１０が上方に突出してストッパ面１０ｓによりアーム６の逆転を阻止する。
【００２１】
履物を脱いだ人が回転台３から降りて踏み板１２から荷重が抜けると、逆転を阻止されているアーム６を中心にして、伸ばされた復帰バネ７の作用により回転台３が半回転し、復帰バネ７は元の長さに復帰する。また、この回転台３の回転とともに、回転台３と一体のラックギヤ１７がピニオンギヤ５に噛合しながら回転し、連結部材１５、１６を介して踏み板１２が上方に揺動して原位置に復帰する。
すなわち、回転台３とともに履物の向きは１８０度変換される。
【００２２】
履物を履いて帰るときも同じような操作となり、踏み板１２に人が載るとアーム６が半回転し、履物を履いた人が踏み板１２から人が離脱すると、回転台３が半回転し、一番最初の状態に戻る。
【００２３】
次に、履物２０の履き口を自動的に開放させるための履物２０側の履き口開放機構２１について、図４に基づき説明する。
この履き口解放機構２１は、図４に示すように、本体部２２に対して枢支部２４まわりに揺動自在な分離踵部２３を備えており、枢支部２４には、分離踵部２３を閉じ側に付勢する不図示のバネが設けられるとともに、踵部に対応する履物底２５の底面には凹部２９が設けられ、この凹部２９には、前記凸部１８が嵌合可能にされている。
【００２４】
そして凹部２９内には、上下に移動可能な押圧部材２６が設けられており、この押圧部材２６が前記分離踵部２３の底部２３ｄ下面に当接している。また、この分離踵部２３の底部２３ｄの先端部周辺には、不図示のバネで閉じ側に付勢されるロック部材２７が設けられており、このロック部材２７の先端が、底部２３ｄの先端部に係合して、分離踵部２３が開くのを防止するようにされ、前記押圧部材２６が上昇すると、図５に示すように、ロック部材２７に係合してロックを解除できるようにされている。
尚、この押圧部材２６は、凹部２９内に石や泥や水等が入り込むのを防止する機能も発揮する。
【００２５】
また、分離踵部２３の底部２３ｄより上方には、履物２０を履いたときに踵の荷重で底部２３ｄの先端部を下方に押圧して分離踵部２３を閉じ側に揺動させるための閉じボタン２８が設けられており、凸部１８が凹部２９から離脱した状態で閉じボタン２８に上から荷重を加えると、分離揺動していた分離踵部２３が閉じ側に揺動した後、ロック部材２７がロック側に揺動して底部２３ｄをロックするようにされている。
尚、前記凸部１８に、暗くなると自動的に凸部１８が発光する光センサを埋設するようにしても良い。
【００２６】
以上のような履き口開放機構２１において、履物２０を履いた人が踏み板１２の履物載置部１３に載って履物載置部１３内の凸部１８に履物底２５の凹部２９を嵌合させると、押圧部材２６が上方に移動してロック部材２７のロックを解除するとともに、分離踵部２３の底部２３ｄ先端部を上方に押圧し、分離踵部２３を後方に開かせ履き口を広げる。このため、履物２０に手を触れなくても楽に脱ぐことができる。
そして、履物２０を脱いだ後、回転台３が反転することについては、前記の通りである。
【００２７】
次に、履物２０を履くときは、履物２０の履き口に足を挿入し、踏み板１２から一歩踏み出して着地すると同時に、閉じボタン２８の作用により分離踵部２３が閉じ側に揺動し、履き口が元の状態に復帰する。
尚、本実施例では、回転台３の基端側に、芳香剤３０を収納する芳香剤ポケットを設けており、芳香を発するようにしている。
【００２８】
次に、以上のような履物反転装置１を履物収納ボックス３２内に配設するようにした実施例について図６乃至図８に基づき説明する。
この実施例では、履物収納ボックス３２として、玄関の上がり框などの下方を利用した例であり、不図示のスイッチ等により開閉自在な扉３３をボックス３２内上部に移動させて前面を開放すると、図６（ｂ）に示すように、履物反転装置１が自動的に手前にスライドして飛び出るようにされている。
また、履物反転装置１の踏み板１２を踏み込んで履物を脱いだ人が、踏み板１２から離れて荷重が抜けると、履物反転装置１が自動的にボックス内にスライドして収納され、これと同時に扉３３が閉まるようにしている。
【００２９】
また、履物収納ボックス３２の内部には、図７、図８に示すように、紫外線ランプ３４と、モータ３５駆動のファン３６が設けられており、また、ファン３６の前方には、方向変更可能な羽根３７が設けられている。そして、前記紫外線ランプ３４を照射することにより、靴等の履物の内部の殺菌効果が得られるようにされ、また、ファン３６を作動させることにより履物内部の乾燥を促進するとともに、悪臭を除去できるようにされている。このため、前記扉３３の所定部には、空気を流通せしめるための窓３８が設けられている。
【００３０】
以上のような履物収納ボックス３２において、履物反転装置１の踏み板１２の履物載置部１３に載って履物を脱いだ後、玄関等から上がると、回転台３が半回転しながら、装置１がボックス３２内に摺動して扉３３が閉まり、タイマー等によって所定時間ファン３６が回転駆動されるとともに、紫外線ランプ３４が所定時間点灯し、また、スイッチ等を操作することにより、履物反転装置１が飛び出すようにしている。この間、履物内部は殺菌と乾燥が行われるため、便利である。
【００３１】
尚、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００３２】
履物を脱いだ後、履物を反転させる装置として、ピニオンラック機構により構成することで、簡素でしかも安価に構成できるとともに、履物に履き口開放機構を設け、履物反転装置に開放作動手段を設けることにより、脱ぎにくい履物を履いているような場合で簡単に脱ぐことができる。
【図面の簡単な説明】
【００３３】
【図１】本発明に係る履物反転装置の構成主要部を示す分解斜視図
【図２】同縦断面図
【図３】同平面図
【図４】履物の履き口開放機構の概要図
【図５】履き口解放機構の作用図
【図６】履物反転装置を履物収納ボックス内に収納できるようにした構成例で、（ａ）は収納状態図、（ｂ）は開放した状態図
【図７】収納ボックス内に配設した乾燥殺菌手段の説明図で平面視図
【図８】収納ボックス内に配設した乾燥殺菌手段の説明図で側面視図
【符号の説明】
【００３４】
１…履物反転装置、２…基台、３…回転台、４…中心軸、５…ピニオンギヤ、６…アーム、７…復帰バネ、１０…ストッパ、１７…ラックギヤ、１８…凸部（開放作動手段）、２０…履物、２１…履き口開放手段、２２…本体部、２３…分離踵部。
【図１】
2005118249.tif 000003
【図２】
2005118249.tif 000004
【図３】
2005118249.tif 000005
【図４】
2005118249.tif 000006
【図５】
2005118249.tif 000007
【図６】
2005118249.tif 000008
【図７】
2005118249.tif 000009
【図８】
2005118249.tif 000010